【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
被験者の非侵襲的に測定された気道圧を示す第１の生理的パラメータを得るステップと、
前記被験者の肺への非侵襲的に測定された気流を示す第２の生理的パラメータを得るステップと、
前記第１及び第２の生理的パラメータに基づき前記被験者の胸内圧を示す第３の生理的パラメータを推定して、これを示す信号を生成するステップとを有する、方法。
【請求項２】
前記被験者の肺への気流を示す前記第２の生理的パラメータに基づき、前記被験者の肺気量を決定するステップと、
前記第１及び第２の生理的パラメータ並びに前記決定された肺気量に基づき、前記被験者の胸内圧を示す前記第３の生理的パラメータを推定するステップと更に有する、請求項１に記載の方法。
【請求項３】
前記被験者の肺への気流を示す前記第２の生理的パラメータを積分することにより、前記肺気量を決定するステップを更に有する、請求項２に記載の方法。
【請求項４】
肺力学モデルに基づき前記第３の生理的パラメータを推定するステップを更に有し、前記モデルが、前記非侵襲的に測定された気道圧、前記肺への前記非侵襲的に測定された気流、前記肺気量、肺抵抗、肺コンプライアンス及び所定の定数の関数である、請求項３に記載の方法。
【請求項５】
前記非侵襲的に測定された気道圧、前記肺への気流、前記決定された肺気量及び前記所定の定数に対して前記肺力学モデルをフィットさせることにより、前記第３の生理的パラメータを推定するステップを更に有する、請求項４に記載の方法。
【請求項６】
前記非侵襲的に測定された気道圧、前記肺への前記気流、前記決定された肺気量及び前記所定の定数に対して前記肺力学モデルをフィットさせることにより、前記肺抵抗及び前記肺コンプライアンスを推定するステップを更に有する、請求項５に記載の方法。
【請求項７】
前記推定された胸内圧、前記肺への前記測定された気流、前記決定された肺気量、前記推定された肺抵抗、前記推定された肺コンプライアンス及び前記所定の定数を用いて、前記肺力学モデルに基づき気道圧を推定するステップと、
前記推定された気道圧及び前記測定された気道圧の間の差を決定するステップと、
前記推定された気道圧及び前記測定された気道圧の間の差を最小化することにより、前記第３の生理的パラメータを推定するステップとを有する、請求項６に記載の方法。
【請求項８】
前記被験者の気道圧を非侵襲的に連続して測定するステップと、
前記被験者の肺への気流を非侵襲的に連続して測定するステップと、
前記非侵襲的に連続して測定された気道圧と非侵襲的に連続して測定された前記肺への気流とに基づき、前記第３の生理的パラメータを非侵襲的に連続して推定するステップとを更に有する、請求項７に記載の方法。
【請求項９】
前記推定された胸内圧及び前記決定された肺気量に基づき、キャンベルダイヤグラムを生成するステップと、
胸壁コンプライアンスラインを生成するステップと、
前記キャンベルダイヤグラムの圧容積ループ及び前記胸壁コンプライアンスラインにおける領域を決定するステップと、
前記領域に基づき、呼吸仕事量を決定するステップとを有する、請求項８に記載の方法。
【請求項１０】
被験者の非侵襲的に推定された胸内圧を示す第１の生理的パラメータを得るステップと、
前記被験者の肺への非侵襲的に測定された気流を示す第３の生理的パラメータに基づき、前記被験者の肺気量を示す第２の生理的パラメータを決定するステップと、
前記第１及び第２の生理的パラメータに基づき、呼吸仕事量を決定し、これを示す信号を生成するステップとを有する、方法。
【請求項１１】
前記第１及び第２の生理的パラメータに基づき、キャンベルダイヤグラムを生成するステップと、
前記キャンベルダイヤグラムに基づき、前記呼吸仕事量を決定するステップとを更に有する、請求項１０に記載の方法。
【請求項１２】
胸壁コンプライアンスラインを生成するステップと、
前記キャンベルダイヤグラムの圧容積ループ及び前記胸壁コンプライアンスラインにおける領域を決定するステップと、
前記領域に基づき、前記呼吸仕事量を決定するステップとを更に有する、請求項１１に記載の方法。
【請求項１３】
各呼吸に関して前記呼吸仕事量を決定するステップを更に有する、請求項１０乃至１２のいずれかに記載の方法。
【請求項１４】
前記被験者の非侵襲的に測定された気道圧を得るステップと、
前記被験者の前記非侵襲的に測定された気道圧及び前記肺気量を示す前記第２の生理的パラメータに基づき、前記被験者の胸内圧を推定するステップとを更に有する、請求項１０乃至１３のいずれかに記載の方法。
【請求項１５】
前記肺への気流を積分することにより前記肺気量を決定するステップを更に有する、請求項１４に記載の方法。
【請求項１６】
肺力学モデルに基づき前記胸内圧を推定するステップを更に有し、前記モデルが、前記非侵襲的に測定された気道圧、前記肺への気流、前記決定された肺気量、肺抵抗、肺コンプライアンス及び所定の定数の関数である、請求項１４又は１５に記載の方法。
【請求項１７】
前記非侵襲的に測定された気道圧、前記肺への前記気流、前記決定された肺気量及び前記所定の定数に対して前記肺力学モデルをフィットさせることにより、前記胸内圧を推定するステップを更に有する、請求項１６に記載の方法。
【請求項１８】
前記非侵襲的に測定された気道圧、前記肺への前記気流、前記決定された肺気量及び前記所定の定数に対して前記肺力学モデルをフィットさせることにより、前記肺抵抗及び前記肺コンプライアンスを推定するステップを更に有する、請求項１７に記載の方法。
【請求項１９】
前記推定された胸内圧、前記肺への前記測定された気流、前記決定された肺気量、前記推定された肺抵抗、前記推定された肺コンプライアンス及び前記所定の定数を用いて、前記肺力学モデルに基づき気道圧を推定するステップと、
前記推定された気道圧及び前記測定された気道圧の間の差を決定するステップと、
前記推定された気道圧及び前記測定された気道圧の間の差を最小化することにより、前記胸内圧を推定するステップとを更に有する、請求項１８に記載の方法。
【請求項２０】
生理的パラメータ決定装置であって、
非侵襲的に測定された気道圧及び肺への非侵襲的に測定された気流に対して前記肺の力学モデルをフィットさせ、前記非侵襲的に測定された気道圧及び予測された気道圧の間の残差平方和を最小化することにより、被験者の前記非侵襲的に測定された気道圧及び前記被験者の肺への前記非侵襲的に測定された気流に基づき、前記被験者の胸内圧を推定するパラメータ推定器と、
前記推定された胸内圧及び前記肺への前記気流から決定される肺気量に基づき、キャンベルダイヤグラムを決定し、前記キャンベルダイヤグラムの圧容積ループ及び胸壁コンプライアンスラインにおける領域に基づき、前記被験者に関する呼吸仕事量を決定するメトリック決定部とを有する、生理的パラメータ決定装置。
【請求項２１】
コンピュータに、
被験者の非侵襲的に測定された気道圧を示す第１の生理的パラメータを受信するステップと、
前記被験者の肺への非侵襲的に測定された気流を示す第２の生理的パラメータを受信するステップと、
前記第１及び第２の生理的パラメータに基づき前記被験者の胸内圧を示す第３の生理的パラメータを推定して、これを示す信号を生成するステップとを実行させるための、コンピュータプログラム。
【請求項２２】
前記被験者の肺への気流を示す前記第２の生理的パラメータに基づき、前記被験者の肺気量を決定するステップと、
前記第１及び第２の生理的パラメータ並びに前記決定された肺気量に基づき、前記被験者の胸内圧を示す前記第３の生理的パラメータを推定するステップと更に有する、請求項２１に記載のコンピュータプログラム。
【請求項２３】
前記被験者の肺への気流を示す前記第２の生理的パラメータを積分することにより、前記肺気量を決定するステップを更に有する、請求項２２に記載のコンピュータプログラム。
【請求項２４】
肺力学モデルに基づき前記第３の生理的パラメータを推定するステップを更に有し、前記モデルが、前記非侵襲的に測定された気道圧、前記肺への前記非侵襲的に測定された気流、前記肺気量、肺抵抗、肺コンプライアンス及び所定の定数の関数である、請求項２３に記載のコンピュータプログラム。
【請求項２５】
前記非侵襲的に測定された気道圧、前記肺への気流、前記決定された肺気量及び前記所定の定数に対して前記肺力学モデルをフィットさせることにより、前記第３の生理的パラメータを推定するステップを更に有する、請求項２４に記載のコンピュータプログラム。
【請求項２６】
前記非侵襲的に測定された気道圧、前記肺への前記気流、前記決定された肺気量及び前記所定の定数に対して前記肺力学モデルをフィットさせることにより、前記肺抵抗及び前記肺コンプライアンスを推定するステップを更に有する、請求項２５に記載のコンピュータプログラム。
【請求項２７】
前記推定された胸内圧、前記肺への前記測定された気流、前記決定された肺気量、前記推定された肺抵抗、前記推定された肺コンプライアンス及び前記所定の定数を用いて、前記肺力学モデルに基づき気道圧を推定するステップと、
前記推定された気道圧及び前記測定された気道圧の間の差を決定するステップと、
前記推定された気道圧及び前記測定された気道圧の間の差を最小化することにより、前記第３の生理的パラメータを推定するステップとを有する、請求項２６に記載のコンピュータプログラム。
【請求項２８】
前記推定された胸内圧及び前記決定された肺気量に基づき、キャンベルダイヤグラムを生成するステップと、
胸壁コンプライアンスラインを生成するステップと、
前記キャンベルダイヤグラムの圧容積ループ及び前記胸壁コンプライアンスラインにおける領域を決定するステップと、
前記領域に基づき、呼吸仕事量を決定するステップとを更に有する、請求項２１に記載のコンピュータプログラム。